(57)【要約】【課題】ダクト内に落下した落下物を容易に除去できる加熱調理器を得る。【解決手段】排気口１４が形成された本体１と、本体１内に設けられ、開口部２０ａが形成された加熱庫２０と、本体１内に設けられ、排気口１４と開口部２０ａとを接続し、本体１の外部と加熱庫２０とを連通させるダクト３０と、ダクト３０に着脱自在に設けられ、ダクト３０内に落下した落下物を受ける受け部材５０と、を備えた。【選択図】図２
2014223241.tif 000002
【特許請求の範囲】
【請求項１】
排気口が形成された本体と、
前記本体内に設けられ、開口部が形成された加熱庫と、
前記本体内に設けられ、前記排気口と前記開口部とを接続し、前記本体の外部と前記加熱庫とを連通させるダクトと、
前記ダクトに着脱自在に設けられ、前記ダクト内に落下した落下物を受ける受け部材と、を備えた
ことを特徴とする加熱調理器。
【請求項２】
前記受け部材は、
該受け部材の受け面が前記排気口の開口面と対向するように、前記ダクトに設けられる
ことを特徴とする請求項１に記載の加熱調理器。
【請求項３】
前記受け部材には、
前記受け面の外周から立ち上がる立ち上がり部が設けられて凹部が形成される
ことを特徴とする請求項２に記載の加熱調理器。
【請求項４】
前記ダクトは、
前記凹部が嵌まるダクト凹部が形成され、前記排気口の下方に設けられた第１通路と、
前記加熱庫と前記第１通路との間に設けられた第２通路と、を備え、
前記第２通路には、前記第１通路と前記第２通路とを連通させる連通口が形成され、
前記受け部材は、
該受け部材の上面に形成された上面開口部と、
該受け部材の前面に形成され、該上面開口部に連なる前面開口部とを有する箱形状であり、
前記凹部が前記ダクト凹部に嵌まった状態で、前記前面開口部が前記連通口と対向し、前記受け部材の受け面が前記第２通路の下端よりも下方に位置する
ことを特徴とする請求項３に記載の加熱調理器。
【請求項５】
前記排気口の前縁は、前記受け部材の前面部の最も背面側の部位よりも前記本体の背面側に位置する
ことを特徴とする請求項１〜請求項４の何れか一項に記載の加熱調理器。
【請求項６】
前記排気口の前縁に設けられ、前記ダクト内に向かって下方に延びる水垂部を備え、
前記水垂部は、その最も背面側の部位が、前記受け部材の前面部の最も背面側の部位よりも前記本体の背面側に位置する
ことを特徴とする請求項１〜請求項４の何れか一項に記載の加熱調理器。
【請求項７】
前記受け部材の上端には、後方に延設される鍔部が形成された
ことを特徴とする請求項１〜請求項６の何れか一項に記載の加熱調理器。
【請求項８】
前記ダクトの背面側には、前記受け部材の着脱を案内する傾斜部が設けられた
ことを特徴とする請求項１〜請求項７の何れか一項に記載の加熱調理器。
【請求項９】
前記排気口を覆い、前記受け部材と一体又は別体に設けられる排気口カバーを備えた
ことを特徴とする請求項１〜請求項８の何れか一項に記載の加熱調理器。
【発明の詳細な説明】
【技術分野】
【０００１】
本発明は、加熱調理器に関する。
【背景技術】
【０００２】
従来、加熱調理器には、加熱室の空気を、ダクトを介して排気口に導くものがあった
（例えば、特許文献１参照）。
【先行技術文献】
【特許文献】
【０００３】
【特許文献１】特開２００７−１０２２８号公報（［００２５］、図５）
【発明の概要】
【発明が解決しようとする課題】
【０００４】
しかしながら、特許文献１記載の加熱調理器は、排気口が天板側に形成されており、排気口からダクト内に、水、異物等の落下物が落下してしまうことがある。このため、ダクト内に落下した落下物を除去するとき、例えば、排気口からダクト内に直接手を挿入して落下物を除去しなければならず、ダクト内に落下した落下物を除去することが容易ではないという課題があった。
【０００５】
本発明は、上述のような課題を背景としてなされたもので、ダクト内に落下した落下物を容易に除去できる加熱調理器を得ることを目的とする。
【課題を解決するための手段】
【０００６】
本発明の加熱調理器は、排気口が形成された本体と、前記本体内に設けられ、開口部が形成された加熱庫と、前記本体内に設けられ、前記排気口と前記開口部とを接続し、前記本体の外部と前記加熱庫とを連通させるダクトと、前記ダクトに着脱自在に設けられ、前記ダクト内に落下した落下物を受ける受け部材と、を備えたものである。
【発明の効果】
【０００７】
本発明によれば、ダクトに着脱自在に設けられ、ダクト内に落下した落下物を受ける受け部材を備えた。このため、ダクト内に落下した落下物が溜められた受け部材を取り外して落下物を除去することができる。したがって、ダクト内に落下した落下物を容易に除去できる加熱調理器を得ることができる。
【図面の簡単な説明】
【０００８】
【図１】本発明の実施の形態１に係る加熱調理器１００の外観を示す斜視図である。
【図２】本発明の実施の形態１に係る加熱調理器１００の内部構造を示す図であり、図１のＸ−Ｘ断面図である。
【図３】本発明の実施の形態１に係る加熱調理器１００のダクト３０を示す図である。
【図４】本発明の実施の形態１に係る加熱調理器１００の受け部材５０を示す斜視図である。
【図５】本発明の実施の形態２に係る加熱調理器１００の内部構造を示す図である。
【発明を実施するための形態】
【０００９】
実施の形態１．
以下、本実施の形態１の加熱調理器１００について、図面を用いて詳細に説明する。なお、以下に示す図面の形態によって本発明が限定されるものではない。また、各図において、同一の構成には同一の符号を付している。
【００１０】
図１は本発明の実施の形態１に係る加熱調理器１００の外観を示す斜視図である。図２は本発明の実施の形態１に係る加熱調理器１００の内部構造を示す図であり、図１のＸ−Ｘ断面図である。図３は本発明の実施の形態１に係る加熱調理器１００のダクト３０を示す図である。
【００１１】
図１に示されるように、加熱調理器１００は、箱状の本体１と、本体１の上に載置された天板部２とを備える。天板部２は、例えばセラミック製のプレート（天板）２ａとプレート２ａの外周を囲む金属製のプレート枠２ｂとを主要な構成要素としている。本体１及び天板部２は、加熱調理器１００の外郭を構成しており、天板部２の上には鍋等の被加熱物が載置される。
【００１２】
加熱調理器１００の天板部２には、被加熱物を載置する目安としての加熱口３が印刷等によって表示されている。天板部２の手前側には、各加熱口３に対応して設けられる押しボタン又はタッチパネルで構成された操作部４と、加熱調理器１００の動作状態や各加熱口３における加熱条件等の各種情報を表示する液晶画面やランプ等で構成された表示部５が設けられている。
【００１３】
本体１内であって天板部２の下方には、内部に電気ヒーター等の加熱手段及び加熱庫２０（図２）を有し、前面が引き出し式の扉で覆われたグリル部６と、グリル部６の上側に設置され加熱口３に載置される被加熱物を加熱する加熱コイル７（図２）が設けられ、中央後方の加熱口３に対応してラジエントヒーター（図示省略）が設けられている。
【００１４】
天板部２の後部、より詳しくは天板部２の一部を構成するプレート枠２ｂの後部には、本体１内から外部への空気の流出口となる排気口１４が形成されている。排気口１４は、天板部２の幅方向に細長く延びるように形成されている。排気口１４の上側には、板金等の耐熱性の高い材料で構成され通気可能な開口部を有する排気口カバー１５（図２）が排気口１４を覆うように載置され、排気口１４内への異物の侵入を抑制している。
【００１５】
図２に示されるように、本体１の内部には、加熱庫２０と、排気口１４の下方に位置するダクト３０と、が設けられている。加熱庫２０には、被加熱物が載置される焼き網２１が設けられている。焼き網２１は、受け皿２２に支持される。加熱庫２０の背面側には開口部２０ａが形成されている。開口部２０ａが形成されることで、加熱庫２０とダクト３０とが連通する。ダクト３０は、排気口１４と開口部２０ａとを接続し、本体１の外部と加熱庫２０とを連通させ、加熱庫２０の内部の空気を排気口１４から本体１の外部に排出するための風路となっている。ダクト３０は、加熱庫２０よりも本体１の背面側に設けられている。ダクト３０には、受け部材５０が着脱自在に配置される。受け部材５０は、排気口１４からダクト３０内に落下した水分、異物等の落下物を受ける部材である。受け部材５０の形状については、後述の図４を用いて説明する。
【００１６】
図３に示されるように、ダクト３０には、排気口１４の下方に形成され、受け部材５０が設けられる第１通路３０ａと、第１通路３０ａと加熱庫２０との間に設けられる第２通路３０ｂと、が形成される。第１通路３０ａ及び第２通路３０ｂの範囲は、それぞれの引出線が指す点線枠内の領域である。第１通路３０ａは、排気口１４から下方に延びるように形成されており、第１通路３０ａには、例えば、凹形状のダクト凹部３０ａ２が形成されている。第２通路３０ｂには、第１通路３０ａと第２通路３０ｂとを連通させる連通口３０ｂ２が形成されている。ダクト凹部３０ａ２が形成されることで、第１通路３０ａの下端３０ａ１は、第２通路３０ｂの下端３０ｂ１よりも下方に位置している。より具体的には例えば、第１通路３０ａの下端３０ａ１は、第２通路３０ｂの最も背面側の下端３０ｂ１よりも下方に位置している。第１通路３０ａの最下端にダクト凹部３０ａ２が設けられ、ダクト凹部３０ａ２に到達するまでの途中に、第２通路３０ｂが連通するようになっている。第１通路３０ａのダクト背面部３１には、受け部材５０を着脱するときに受け部材５０を案内するための傾斜部３２が形成されている。なお、ダクト凹部３０ａ２が設けられずに、例えば、第１通路３０ａの下端３０ａ１が、第２通路３０ｂの最も背面側の下端３０ｂ１と同一の高さとなるように、第１通路３０ａが形成されていてもよい。このように構成しても、受け部材５０が連通口３０ｂ２を完全には塞がず、ダクト３０内に落下した落下物を受け部材５０に溜めることができる。
【００１７】
図３に示されるように、排気口１４の開口面の近傍には、前面側天板枠４１ａ及び背面側天板枠４１ｂが設けられている。前面側天板枠４１ａは、背面側天板枠４１ｂよりも本体１の前面側に位置するように設けられる。前面側天板枠４１ａは、その一部がダクト３０内に位置するように、排気口１４の前面側に設けられる部材である。前面側天板枠４１ａは、ダクト３０内に落下する水滴等を略鉛直方向に落下させるための水垂部４１ａ１を有する。水垂部４１ａ１は、排気口１４の前縁１４ａに設けられ、ダクト３０内に向かって下方に延びている。背面側天板枠４１ｂは、本体１の上面であって排気口１４の背面側に設けられる部材である。背面側天板枠４１ｂには、受け部材５０の一部が設置される。受け部材５０が設けられた状態で、前面側天板枠４１ａ及び背面側天板枠４１ｂの上面に、排気口カバー１５が設けられる。
【００１８】
図４は本発明の実施の形態１に係る加熱調理器１００の受け部材５０を示す斜視図である。図４に示されるように、受け部材５０は、底面部５０ａと、前面部５０ｂと、背面部５０ｃと、側面部５０ｄと、鍔部５０ｅとを備え、前面の一部及び上面が開口した箱形状のものである。受け部材５０の上面には、上面開口部５１が形成されている。また、受け部材５０の前面には、上面開口部５１に連なる前面開口部５２が形成されている。受け部材５０がダクト３０に設けられた状態で、前面開口部５２が連通口３０ｂ２と対向する。
【００１９】
底面部５０ａは、その上面を構成する受け面５０ａ１を有する。底面部５０ａは、排気口１４から加熱調理器１００内部に流入した落下物を、受け面５０ａ１で受け止める。受け部材５０がダクト３０に設けられた状態で、受け面５０ａ１は、第２通路３０ｂの下端３０ｂ１よりも下方に位置する。前面部５０ｂ、背面部５０ｃ、及び側面部５０ｄは、それぞれ底面部５０ａから上方に向かって延びて形成される部材である。鍔部５０ｅは、背面部５０ｃの上端から後方に延設される部位である。鍔部５０ｅは、例えば、その底面が背面側天板枠４１ｂの上面に当接する。受け部材５０は、例えば、底面部５０ａの上面である受け面５０ａ１が排気口１４の開口面と対向するように、第１通路３０ａ内に設けられる。このようにして、前面部５０ｂ、背面部５０ｃ、及び側面部５０ｄが、受け面５０ａ１の外周から立ち上がる部位となり、凹部５０ａ２が形成される。したがって、ダクト３０内に落下する落下物を凹部５０ａ２に溜めることができる。なお、前面部５０ｂ、背面部５０ｃ、及び側面部５０ｄを総称した部材が、本発明の立ち上がり部に相当する。また、凹部５０ａ２は、ダクト凹部３０ａ２に嵌まる形状となっている。このため、受け部材５０が第１通路３０ａ内に設けられた状態で、加熱庫２０から排気口１４を通って本体１の外部に排出される空気の流れを妨げることを抑制することができる。但し、凹部５０ａ２が嵌るような厳密なダクト凹部３０ａ２が、ダクト３０の第１通路３０ａに形成されている必要はない。
【００２０】
前面部５０ｂの最も背面側の部位は、前面側天板枠４１ａを構成する部材であってダクト３０内に落下する水滴等を略鉛直方向に落下させるための水垂部４１ａ１の最も背面側の部位よりも本体１の前面側に位置している。このため、例えば水垂部４１ａ１から滴下した水分を、第２通路３０ｂ内に流入させずに、受け部材５０に溜めることができる。なお、上述した水垂部４１ａ１を設けない構成としてもよく、この場合には、前面部５０ｂの最も背面側の部位が、排気口１４の前縁１４ａよりも本体１の前面側に位置するように構成することが望ましい。このように構成することで、例えば排気口１４の前縁１４ａから滴下した水分を、第２通路３０ｂ内に流入させずに、受け部材５０の中に溜めることができる。
【００２１】
ここで、図２に示されるダクト背面部３１と、水垂部４１ａ１と、受け部材５０との寸法の関係について説明する。受け部材５０の前面部５０ｂの最も前面側と、水垂部４１ａ１の最も背面側との前後方向の長さ（図２のＡ）は、受け部材５０の背面部５０ｃの最も背面側と、ダクト背面部３１との前後方向の長さ（図２のＢ）よりも小さくなっている。このように、ダクト背面部３１、水垂部４１ａ１、及び受け部材５０は、上述の寸法関係を満たすように構成されるため、水垂部４１ａ１が、第１通路３０ａ内に配置された受け部材５０の取り外しを規制することがなくなる。
【００２２】
以下に、受け部材５０を第１通路３０ａ内に配置する手順について説明する。使用者は、受け部材５０の受け面５０ａ１が排気口１４の開口面と対向する状態で、また、受け部材５０の背面部５０ｃをダクト背面部３１に当接させた状態で、受け部材５０を排気口１４から第１通路３０ａ内に向かって押し込んで、第１通路３０ａ内に配置する。そして使用者が、受け部材５０を第１通路３０ａ内に配置した状態で、前面側天板枠４１ａ及び背面側天板枠４１ｂの上面に排気口カバー１５を配置することで、図２に示されるような状態となる。ここで上述したように、第１通路３０ａ内には傾斜部３２が形成されている。このため、受け部材５０を第１通路３０ａ内に向かって押し込んで配置するとき、傾斜部３２は、受け部材５０の前面部５０ｂの最も背面側の部位が水垂部４１ａ１の背面側の部位よりも加熱調理器１００の前面側に位置するように、受け部材５０を案内する。したがって、受け部材５０の前面部５０ｂの最も背面側の部位が水垂部４１ａ１の背面側の部位よりも加熱調理器１００の前面側に位置するように受け部材５０を配置する作業を、容易に行うことができる。
【００２３】
次に、第１通路３０ａ内に配置された受け部材５０を取り出す手順について説明する。
図２に示される状態で、使用者は、排気口カバー１５を取り外し、受け部材５０の鍔部５０ｅを掴み、第１通路３０ａの後方及び上方に向かって力を加え、受け部材５０を取り出す。ここで上述したように、第１通路３０ａ内には傾斜部３２が形成されている。このため、使用者が、鍔部５０ｅを掴み、第１通路３０ａの後方及び上方に向かって力を加えると、受け部材５０は、水垂部４１ａ１と前面部５０ｂとが接触することなく排気口１４の上方に案内され、容易に受け部材５０を取り出すことができる。
【００２４】
以上のように、本実施の形態１に係る加熱調理器１００は、排気口１４が形成された本体１と、本体１内に設けられ、開口部２０ａが形成された加熱庫２０と、本体１内に設けられ、排気口１４と開口部２０ａとを接続し、本体１の外部と加熱庫２０とを連通させるダクト３０と、ダクト３０に着脱自在に設けられ、ダクト３０内に落下した落下物を受ける受け部材５０と、を備えた。このため、ダクト３０内に落下した落下物が溜められた受け部材５０を取り外して落下物を除去することができる。したがって、ダクト３０内に落下した落下物を容易に除去できる加熱調理器１００を得ることができる。
【００２５】
なお、受け部材５０の材質、形状、大きさは、ダクト３０内に落下した落下物を溜めることができるものであればよい。例えば、受け部材５０の形状については、排気口１４からダクト凹部３０ａ２まで延びる背面部５０ｃに相当する部位が設けられ、背面部５０ｃに接続される底面部５０ａに相当する部位が設けられる形状であればよい。また、受け部材５０の大きさについては、ダクト３０の大きさに応じて決定されるとよい。また、排気口１４、開口部２０ａ、及びダクト３０は、加熱庫２０の背面側に形成されることに限定されず、例えば、加熱庫２０の側面側に形成されていてもよい。
【００２６】
実施の形態２．
図５は本発明の実施の形態２に係る加熱調理器１００の内部構造を示す図である。
本実施の形態２では、実施の形態１とは異なり、図５に示されるように、排気口カバー１５と受け部材５０とを固定して、一体として動かせるように構成している。このため、排気口カバー１５を取り外したとき、受け部材５０も共に取り外すことができる。したがって、汚れが付着している可能性の高い受け部材５０に直接手を触れないで、第１通路３０ａ内に配置された受け部材５０を取り外すことができる。また、排気口カバー１５と受け部材５０との嵌合状態を解除することで、排気口カバー１５及び受け部材５０を別々に清掃することができる。このため、排気口カバー１５及び受け部材５０を容易に清掃することができる。
【００２７】
上述した排気口カバー１５と受け部材５０との固定は、例えば爪嵌合によって行われる。具体的には、例えば、排気口カバー１５に、爪部（図示省略）が設けられ、受け部材５０に、爪部が挿入される穴部（図示省略）が設けられるように構成し、爪部が穴部に挿入されるようにして、排気口カバー１５と受け部材５０とを固定する。なお、排気口カバー１５に、穴部が設けられ、受け部材５０に、穴部に挿入する爪部が設けられるように構成してもよい。また、排気口カバー１５と受け部材５０とを固定する手段は、上述の爪嵌合に限定されるものでなく、例えば、部品点数を増やさないで排気口カバー１５と受け部材５０とを固定する他の手段によって固定してもよい。
【符号の説明】
【００２８】
１  本体、２  天板部、２ａ  プレート、２ｂ  プレート枠、３  加熱口、４  操作部、５  表示部、６  グリル部、７  加熱コイル、１４  排気口、１４ａ  前縁、１５  排気口カバー、２０  加熱庫、２０ａ  開口部、２１  焼き網、２２  受け皿、３０  ダクト、３０ａ  第１通路、３０ａ１  下端、３０ａ２  ダクト凹部、３０ｂ  第２通路、３０ｂ１  下端、３０ｂ２  連通口、３１  ダクト背面部、３２  傾斜部、４１ａ  前面側天板枠、４１ａ１  水垂部、４１ｂ  背面側天板枠、５０  受け部材、５０ａ  底面部、５０ａ１  受け面、５０ａ２  凹部、５０ｂ  前面部、５０ｃ  背面部、５０ｄ  側面部、５０ｅ  鍔部、５１  上面開口部、５２  前面開口部、１００  加熱調理器。
【図１】
2014223241.tif 000003
【図２】
2014223241.tif 000004
【図３】
2014223241.tif 000005
【図４】
2014223241.tif 000006
【図５】
2014223241.tif 000007